(57)【要約】      （修正有）【課題】洗濯物が乾き洗濯物をたたみ必要なくなった室内干し物干しを折りたたんで収容可能な室内干し物干セットを提供する。【解決手段】開口部の左右の壁２箇所ずつ各計８本のビスにて下地へ主要構造材柱及びスタット並びにＬＧＳ下地に短辺方向横竿差し込みブラケットを壁に取り付け固定し、短辺方向横竿Ｇ−１,Ｇ−２に接着固定されている差し込みエルボを先に取り付け固定した短辺方向横竿差し込みブラケットに差し込み一体とし、短辺方向横竿に差し込み設置後、ブラケットに抜け防止リングを設置し一体に設置されているビスを締め付けして、短辺方向横竿及びブラケットを一体固定し抜けないようにする。一体となった短辺方向横竿上に４５°回転し反対側の短辺方向横竿に接着固定されている差し込みエルボに縦竿Ｐ２を斜めに差し込みながら、斜めの角度で縦竿に設置されている洗濯物荷重受け締め付けＷリングまで落とし込みし床に設置する。【選択図】図１
2020108722.tif 000002
【特許請求の範囲】
【請求項１】
太陽光の入る場所の開口部サッシ左右主要構造材、在来工法の柱・ツーバイフォーのスタット・マンションなどの間仕切り壁等内装下地ＬＧＳスタットに軸芯となる短辺方向横竿差し込みブラケットＲＬ（Ａ）を太陽光の入る日当たりの良い開口部の左右壁に２か所ビス固定したものを設置する。短辺方向横竿ＲＬ（Ｇ−１）（Ｇ−２）には短辺方向横竿差し込みブラケットＲＬ（Ａ）に差し込みし固定される横竿差し込みエルボ（Ｘ）と長辺・短辺方向横竿固定縦竿左右（Ｐ１）（Ｐ２）に差し込みし、固定される短辺方向差し込みエルボＲＬ（Ｂ）が接着固定され一体となっている。開口部サッシ左右壁にビス固定された短辺方向横竿差し込みブラケットＲＬ（Ａ）が軸となっている。短辺方向横竿差し込みブラケットＲＬ（Ａ）と一体となった短辺方向横竿ＲＬ（Ｇ−１）（Ｇ−２）は短辺方向横竿差し込みブラケットＲＬ（Ａ）を軸として１８０°回転することが出来る構造である。短辺方向横竿ＲＬ（Ｇ−１）（Ｇ−２）には長辺方向中間部補助横竿（Ｇ−４）を受ける左右に移動が可能な補助横竿止めフックＲＬ（Ｄ）が左右短辺方向横竿ＲＬ（Ｇ−１）（Ｇ−２）に設置されている。短辺方向横竿差し込みブラケットＲＬ（Ａ）と一体となった短辺方向横竿ＲＬ（Ｇ−１）（Ｇ−２）は、横竿差し込みエルボ（Ｘ）を短辺方向横竿差し込みブラケットＲＬ（Ａ）に差し込み設置後、（Ｇ−１）（Ｇ−２）抜け落ちないように短辺方向横竿差し込みブラケットＲＬ（Ａ）に短辺方向横竿ＲＬ外れ防止締め付けリング（Ｅ）が設置されている。短辺方向横竿ＲＬ（Ｇ−１）（Ｇ−２）は短辺方向横竿差し込みブラケットＲＬ（Ａ）に差し込みされ、短辺方向横竿ＲＬ外れ防止締め付けリング（Ｅ）に設置されている締め付けビスを締め付けすることにより一体固定され、短辺方向横竿差し込みブラケットＲＬ（Ａ）を軸として短辺方向横竿ＲＬ（Ｇ−１）（Ｇ−２）は回転させても抜け落ちないようになっている。短辺方向横竿ＲＬ（Ｇ−１）（Ｇ−２）を短辺方向差し込みエルボ（Ｂ）に入れ一体とするときは、短辺方向横竿ＲＬ（Ｇ−１）（Ｇ−２）を上に４５°の角度に回転させて、短辺方向差し込みエルボ（Ｂ）が４５°斜めになった時に短辺方向差し込みエルボ（Ｂ）に長辺・短辺方向横竿固定縦竿左右（Ｐ１）（Ｐ２）を差し込みし、両方が一体となって直角にして垂直水平に床に置き組み立てられる。また、先に長辺・短辺方向横竿固定縦竿左右（Ｐ−１）（Ｐ−２）に短辺方向横竿ＲＬ（Ｇ−１）（Ｇ−２）に設置されている短辺方向差し込みエルボ（Ｂ）を差し込みし、水平直角にＬ型に一体として、短辺方向横竿ＲＬ（Ｇ−１）（Ｇ−２）に設置されている横竿差し込みエルボ（Ｘ）を短辺方向横竿差し込みブラケットＲＬ（Ａ）差し込みして一体として水平・垂直・直角に床に設置することも可能である。壁に固定されているこの短辺方向横竿差し込みブラケットＲＬ（Ａ）が基準となり、この二通りの方法で差し込みながら順次組み立ててゆく仕組みであり。長辺・短辺方向横竿固定縦竿左右（Ｐ−１）（Ｐ−２）には洗濯物荷重受け締め付けＷリング（Ｃ）が設置され一体となり左右に設置された短辺方向横竿ＲＬ（Ｇ−１）（Ｇ−２）が水平垂直に保たれる高さに設定される。「※洗濯物荷重受け締め付けＷリング（Ｃ）の高さ設定並びに締め付け固定は、回転ブラケット組み立て分解式室内物干し竿セット組み立てる段階で、最初の作業として短辺方向横竿差し込みブラケットＲＬ（Ａ）を開口部左右壁に取り付けする時に使う人が使い易い状態で高さ設定する構造になっている。洗濯物荷重受け締め付けＷリング（Ｃ）は長辺・短辺方向横竿固定縦竿左（Ｐ−１）並びに長辺・短辺方向横竿固定縦竿右（Ｐ−２）及び中間部洗濯物荷重受け縦竿（ＰＧ−３）・補助横竿中間部洗濯物荷重受け縦竿（ＰＧ−４）に最初からビスを緩めた状態で差し込み設置されおり、長辺方向横竿（Ｇ−３）並びに長辺方向補助横竿（Ｇ−４）を水平に保った状態で洗濯物荷重受け締め付けＷリング（Ｃ）に設置されている締め付けビスを上下２箇所締め付けし固定され、水平垂直に洗濯物の荷重を床に伝達し荷重を緩和させる仕組みになっている。重要なのは回転ブラケット組み立て分解式室内物干し竿セットを使う人が使い易い状態で高さ設定する構造になっていることである。」長辺方向横竿（Ｇ−３）両先端には長辺・短辺方向横竿固定縦竿左右（Ｐ１）（Ｐ２）に差し込み固定される短辺方向差し込みエルボＲＬ（Ｂ）が両先端に接着固定されている。さらに長辺方向横竿（Ｇ−２）中間には左右に移動可能な中間部洗濯物荷重受け縦竿差し込みエルボ（Ｉ）が設置され、洗濯物の量や寝具など重量のあるものを干す場合には、中間部洗濯物荷重受け縦竿（ＰＧ−３）を中間部洗濯物荷重受け縦竿差し込みエルボ（Ｉ）に差し込みして水平垂直に一体とし、長辺方向横竿（Ｇ−３）の横竿に掛かる洗濯物の荷重が床に伝わり長辺方向横竿（Ｇ−３）に掛かる洗濯物の荷重が軽減され、さらに長辺方向横竿（Ｇ−３）横竿のたわみが緩和される仕組みである。同じく長辺方向中間部補助横竿（Ｇ−４）にも左右に移動可能な荷重受け縦竿差し込みブラケット中間部洗濯物荷重受け縦竿差し込みエルボ（Ｉ）が設置されており、洗濯物の量や寝具など重量のあるものを干す場合には洗濯物荷重受け縦竿（ＰＧ−４）を中間部洗濯物荷重受け縦竿差し込みエルボ（Ｉ）に差し込みして水平垂直に一体とし、長辺方向中間部補助横竿（Ｇ−４）横竿にかかる洗濯物の荷重が床に伝わり、長辺方向中間部補助横竿（Ｇ−４）に掛かる洗濯物の荷重が軽減され、さらに長辺方向中間部補助横竿（Ｇ−４）横竿のたわみが緩和される仕組みである。中間部洗濯物荷重受け縦竿差し込みエルボ（Ｉ））に中間部洗濯物荷重受け縦竿（ＰＧ−３）並びに補助横竿中間部洗濯物荷重受け縦竿（ＰＧ−４）を中間部洗濯物荷重受け縦竿差し込みエルボ（Ｉ）に差し込むときは長辺方向横竿（Ｇ−３）及び長辺方向中間部補助横竿（Ｇ−４）全体を水平に少し上に上げ差し込めば、中間部洗濯物荷重受け縦竿差し込みエルボ（Ｉ）にスムーズに差し込まれ、両方（Ｇ−３）（ＰＧ−３）及び（Ｇ−４）（ＰＧ−４）が水平垂直に一体に保たれる。※中間部洗濯物荷重受け縦竿（ＰＧ−３）並びに補助横竿中間部洗濯物荷重受け縦竿（ＰＧ−４）には洗濯物荷重受け締め付けＷリング（Ｃ）が設置され水平垂直に保った段階で、同じように洗濯物荷重受け締め付けＷリング（Ｃ）に設置されている締め付けビスを上下２箇所締め付けし固定され、水平垂直に洗濯物の荷重を床に伝達し荷重を緩和させる仕組みになっている。また、長辺方向横竿（Ｇ−３）及び長辺方向中間部補助横竿（Ｇ−４）と一体となっている中間部洗濯物荷重受け縦竿差し込みエルボ（Ｉ）を斜め４５°にして中間部洗濯物荷重受け縦竿（ＰＧ−３）並びに長辺方向中間部補助横竿（Ｇ−４）を差し込むことも可能である。各縦竿（Ｐ−１）（Ｐ２−）（ＰＧ−３）（ＰＧ−４）には滑り防止ゴムフット（Ｆ）設置され床に設置したときに、滑り難くなっている。また、短辺方向横竿差し込みブラケットＲＬ（Ａ）と一体となった短辺方向横竿ＲＬ（Ｇ−１）（Ｇ−２）は抜き取りすることが出来るので、壁に固定された短辺方向横竿差し込みブラケットＲＬ（Ａ）はカーテンの陰に隠蔽され見えなくなる。この回転ブラケット組み立て分解式室内物干し竿セットは短辺方向横竿ＲＬ（Ｇ−１）（Ｇ−２）を長いもの「Ｌ＝３００ｍｍ・Ｌ＝４５０ｍｍ・Ｌ＝６００ｍｍ・Ｌ＝９００ｍｍなど等」に部屋の中に入る太陽光の状況や洗濯物の量により交換が可能である。この回転ブラケット組み立て分解式室内物干し竿セットを使うことで洗濯物を干すときに組み立てて、洗濯物が乾燥したら洗濯物を取り込んで、使い終わったらこの回転ブラケット組み立て分解式室内物干し竿セットを分解してクローゼットの中に収納することも、床に設置してある竿収納バッグの中に入れて、前もって壁に取り付けしてある専用竿立て掛け収納カセット（Ｊ）上下２箇所に嵌め込みし、壁に立て掛けて収納することもできる。特に開口部サッシ横に設置することによりさらに使い勝手が良くなる。以上の様に太陽光の入る部屋の開口部サッシ横や、クローゼットの中並びに取り付け可能な下地のある壁等に竿立て掛け収納カセット（Ｊ）上下２箇所を前もっと取り付けしはめ込みして収納すれば、広い収納スペースを必要としない。竿立て掛け収納カセット（Ｊ）上下から組み立てる竿を外し直ちに組み立てることも、竿等を分解し立て掛け収納することも出来るのでインテリア的にも部屋の見栄えが良く整理整頓片づけられる。以上の構成よりなる回転プラケット組み立て分解式室内物干しセットである。
【発明の詳細な説明】
【技術分野】
【０００１】この発明は、回転ブラケット組み立て分解式室内物干し竿セットに関するものである。
【背景技術】
【０００２】  従来、洗濯物を室内干しする時は固定式の物干しを室内の床に設置して使うものが主流であった、この場合折りたたみすることは出来るが分解し収納することが出来ないものが一般的であり、さらに開口部に入る太陽光の向きで竿の長さを変えるような工夫はされてなく、床に設置するだけなので不安定なところもあった。また折りたたんで収納しても邪魔な存在であり収納しても広いスペースを必要とするので部屋も狭くなり部屋の中に放置された状態であるためインテリア的にも見栄えも悪いのが現状である。
【発明の開示】
【発明が解決しようとする課題】
【０００３】  これには、次のような欠点があった。洗濯物が乾き洗濯物をたたみ必要なくなった室内干し物干しを折りたたんで収納しようとしても、折りたたみは出来るが分解が出来ず折りたたんだ状態でもかさばり収納しようとしても室内物干し自体が大きい為、収納スペースが確保できず部屋の片隅に置かれた状態で放置されているのが現状であった。この回転ブラケット組み立て分解式室内物干し竿セットを使うことで洗濯物を干すときに組み立てて、洗濯物が乾燥したら洗濯物を取り込んで、使い終わったらこの回転ブラケット組み立て分解式室内物干し竿セットを分解してクローゼットの中に収納することも、床に設置してある竿収納バッグの中に入れて立て掛け収納することも、前もって壁に取り付けしてある専用竿立て掛け収納カセット（Ｊ）上下２箇所に嵌め込みし壁に立て掛けて収納することもできる。特に開口部サッシ横に設置することによりさらに使い勝手が良くなる。以上の様に太陽光の入る部屋の開口部サッシ横や、クローゼットの中並びに取り付け可能な下地のある壁等に竿立て掛け収納カセット（Ｊ）上下２箇所を前もっと取り付けしはめ込みして収納すれば、広い収納スペースを必要としない。竿立て掛け収納カセット（Ｊ）上下から組み立てる竿を外し、直ちに組み立てることも、竿等を分解し立て掛け収納することも出来るのでインテリア的にも部屋の見栄えが良く整理整頓片づけられる。サッシ開口部横に設置した短辺方向横竿差し込みブラケットＲＬ（Ａ）は短辺方向横竿ＲＬ（Ｇ−１）（Ｇ−２）を短辺方向横竿差し込みブラケット（Ａ）から抜き取りすれば、壁に固定設置されている左右の短辺方向横竿差し込みブラケットＲＬ（Ａ）はカーテンの陰に隠ぺいされるので目立たないのが最大の特徴であり、プライバシー保護の観点からも洗濯物を干した後カーテンを閉め切ることも出来るので外部から部屋の中を見渡すことは出来なくなる。必要な時に組み立てて洗濯物の乾燥が終わったら分解するので部屋のインテリアがもとの状態に戻る。この回転ブラケット組み立て分解式室内物干し竿セットは短辺方向横竿ＲＬ（Ｇ−１）（Ｇ−２）を長いもの「Ｌ＝３００ｍｍ・Ｌ＝４５０ｍｍ・Ｌ＝６００ｍｍ・Ｌ＝９００ｍｍなど」に部屋の中に入る太陽光の状況や洗濯物の量により交換が可能である。長辺方向補助横竿（Ｇ−４）を設置したときは、短辺方向横竿ＲＬ（Ｇ−１）（Ｇ−２）に補助横竿止めフックＲＬ（Ｄ）を設置することとなる。長辺方向横竿（Ｇ−３）並びに長辺方向補助横竿（Ｇ−４）等には中間部洗濯物荷重受け縦竿差し込みブラケット（Ｉ）が左右移動可能に差し込み設置されており重量の重い寝具など布団を干す場合、中間部洗濯物荷重受け縦竿（ＰＧ−３）並びに、補助横竿中間部洗濯物荷重受け縦竿（ＰＧ−４）を各中間部洗濯物荷重受け縦竿差し込みブラケット（Ｉ）に差し込みし、水平垂直に床に設置することにより長辺方向横竿（Ｇ−２）並びに長辺方向中間部補助横竿（Ｇ−４）にかかる洗濯物や布団などの荷重が床に伝わり洗濯物や布団などの寝具等の荷重が軽減され、竿のたわみが緩和される仕組みである。中間部洗濯物荷重受け縦竿（ＰＧ−３）並びに、補助横竿中間部洗濯物荷重受け縦竿（ＰＧ−４）には洗濯物の荷重を床に伝える���濯物荷重受け締め付けＷリング（Ｃ）が設置されており、長辺方向横竿（Ｇ−３）並びに長辺方向補助横竿（Ｇ−４）等横竿を水平に保った状態で洗濯物荷重受け締め付けＷリング（Ｃ）に設置されている締め付けビスを上下２箇所締め付けし、水平の高さに洗濯物の荷重を受けるように設置される。以上の仕組みで洗濯物や布団などの荷重が床に伝わり洗濯物の重みが軽減され、さらに竿の撓みが緩和される仕組みである。各縦竿（Ｐ−１）（Ｐ−２）（ＰＧ−３）（ＰＧ−４）には縦竿滑り防止ゴムフット（Ｆ）設置され、床に設置したときに滑り難くなっている。シーツや布団などのなどの大きな物も大量に部屋干しすることも可能である。本発明は以上の欠点を無くす為になされたものである。
【課題を解決するための手段】
【０００４】  軸芯となる短辺方向横竿差し込みブラケットＲＬ（Ａ）を主要構造材の在来工法の柱・ツーバイ工法のスタット及びマンションなどの内装下地ＬＧＳに取り付ける場合、開口部のサッシ左右には柱やスタット・ＬＧＳ下地が入っているので後から下地を入れる心配がない。また開口部だけではなく、その他の部屋の壁に主要構造材、柱及びスタット、間仕切り壁下地材などが入っている壁スペースがあれば何処にでも取り付けられる。初めに室内側から見て、太陽光が入るサッシ開口部横の主要構造材、在来工法の柱・ツーバイフォー工法のスタット・マンションなどのサッシ開口部左右ＬＧＳスタットに短辺方向横竿差し込みブラケットＲＬ（Ａ）に設置されているビス取り付け穴より、石膏ボード及びクロス貼り等仕上げ材の上からステンレスビスやタッピングビスにて、開口部の左右の壁２箇所ずつ各計８本のビスにて下地へ主要構造材柱及びスタット並びにＬＧＳ下地に短辺方向横竿差し込みブラケットＲＬ（Ａ）を壁に取り付け固定し、短辺方向横竿ＲＬ（Ｇ−１）（Ｇ−２）に接着固定されている差し込みエルボ（Ｘ）を先に取り付け固定した短辺方向横竿差し込みブラケットＲＬ（Ａ）に差し込み一体とし、短辺方向横竿ＲＬ（Ｇ−１）に差し込み設置後、ブラケットＲＬ（Ａ）に抜け防止リング（Ｅ）を差し込み設置し、（Ｅ）に一体に設置されているビスを締め付けして、短辺方向横竿ＲＬ（Ｇ−１）（Ｇ−２）及びブラケットＲＬ（Ａ）を一体固定し抜けないようにする。一体となった短辺方向横竿ＲＬ（Ｇ−１）（Ｇ−２）上に４５°回転し反対側の短辺方向横竿ＲＬ（Ｇ−１）（Ｇ−２）に接着固定されている差し込みエルボ（Ａ）に縦竿（Ｐ１）（Ｐ２）を斜めに差し込みながら、斜めの角度で縦竿（Ｐ１）（Ｐ−２）に設置されている洗濯物荷重受け締め付けＷリング（Ｃ）まで徐々に落とし込みし、短辺方向横竿ＲＬ（Ｇ−１）（Ｇ−２）及び縦竿（Ｐ１）（Ｐ２）を水平垂直に一体として床に設置する。「※洗濯物荷重受け締め付けＷリング（Ｃ）の高さ設定並びに締め付け固定は、回転ブラケット組み立て分解式室内物干し竿セット組み立てる段階で、最初の作業として短辺方向横竿差し込みブラケットＲＬ（Ａ）を開口部左右壁に取り付けする時に使う人が使い易い状態で高さ設定する構造になっている。洗濯物荷重受け締め付けＷリング（Ｃ）は長辺・短辺方向横竿固定縦竿左（Ｐ−１）並びに長辺・短辺方向横竿固定縦竿右（Ｐ−２）及び中間部洗濯物荷重受け縦竿（ＰＧ−３）及び補助横竿中間部洗濯物荷重受け縦竿（ＰＧ−４）に最初からビスを緩めた状態で差し込み設置されおり、長辺方向横竿（Ｇ−３）並びに長辺方向補助横竿（Ｇ−４）を水平に保った状態で洗濯物荷重受け締め付けＷリング（Ｃ）に設置されている締め付けビスを上下２箇所締め付けし固定され、水平垂直に洗濯物の荷重を床に伝達し荷重を緩和させる仕組みになっている。重要なのは回転ブラケット組み立て分解式室内物干し竿セットを使う人が使い易い状態で高さ設定する構造になっている。」また、先に縦竿（Ｐ−１）（Ｐ−２）に短辺方向横竿ＲＬ（Ｇ−１）（Ｇ−２）に設置されている差し込みエルボ（Ｂ）を※先に高さ設定設置した洗濯物荷重受け締め付けＷリング（Ｃ）まで徐々��落とし込みし、水平直角にＬ型に一体として、短辺方向横竿ＲＬ（Ｇ−１）（Ｇ−２）に設置されている差し込みエルボ（Ｘ）を短辺方向横竿差し込みブラケットＲＬ（Ａ）に差し込みして水平垂直に一体として床に設置することも可能である。この短辺方向横竿差し込みブラケットＲＬ（Ａ）が基準となり、この二通りの方法で差し込みながら順次組み立ててゆく仕組みである。次に長辺方向横竿（Ｇ−２）左右先端に接着固定されている差し込みエルボ（Ｂ）を長辺・短辺方向横竿固定縦竿左（Ｐ−１）並びに長辺・短辺方向横竿固定縦竿右（Ｐ−２）にすでに落とし込みした短辺方向横竿ＲＬ（Ｇ−１）（Ｇ−２）まで全体を水平に差し込みして、四辺を一体に固定し水平垂直及び直角に安定させる。短辺方向横竿ＲＬ（Ｇ−１）（Ｇ−２）は長いものや短いもの「Ｌ＝３００ｍｍ・Ｌ＝４５０ｍｍ・Ｌ＝６００ｍｍ・Ｌ＝９００ｍｍなど」に部屋の中に入る太陽光の状況や洗濯物の量により短辺方向横竿ＲＬ（Ｇ−１）（Ｇ−２）の交換が可能である。また洗濯物の量の多い場合や布団シーツなど重量の重いものを干す場合などに備え、長辺方向横竿（Ｇ−３）並びに長辺方向補助横竿（Ｇ−４）等には中間部洗濯物荷重受け縦竿差し込みブラケット（Ｉ）が左右移動可能に差し込み設置されており重量の重い寝具など布団を干す場合、中間部洗濯物荷重受け縦竿（ＰＧ−３）並びに、補助横竿中間部洗濯物荷重受け縦竿（ＰＧ−４）を各中間部洗濯物荷重受け縦竿差し込みブラケット（Ｉ）に差し込みし、水平垂直に床に設置することにより長辺方向横竿（Ｇ−２）並びに長辺方向中間部補助横竿（Ｇ−４）にかかる洗濯物や布団などの荷重が床に伝わり洗濯物や布団などの寝具等の荷重が軽減され、竿のたわみが緩和される仕組みである。中間部洗濯物荷重受け縦竿（ＰＧ−３）並びに、補助横竿中間部洗濯物荷重受け縦竿（ＰＧ−４）には洗濯物の荷重を床に伝える洗濯物荷重受け締め付けＷリング（Ｃ）が設置されており、長辺方向横竿（Ｇ−３）並びに長辺方向補助横竿（Ｇ−４）等横竿を水平に保った状態で洗濯物荷重受け締め付けＷリング（Ｃ）に設置されている締め付けビスを上下２箇所締め付けし、水平に洗濯物の荷重を受けるように設置される。各縦竿（Ｐ−１）（Ｐ−２）（Ｐ−３）（Ｐ−４）には縦竿滑り防止ゴムフット（Ｆ）が設置され、床に設置したときに滑り難くなっている。本発明は以上の構成による回転ブラケット組み立て分解式室内物干し竿セットである。
【発明の効果】
【０００５】  洗濯物が乾き洗濯物をたたみ必要なくなった室内干し物干しを折りたたんで収納しようとしても、折りたたみは出来るが分解が出来ず折りたたんだ状態でもかさばり収納しようとしても室内物干し自体が大きい為、収納スペースが確保できず部屋の片隅に置かれた状態で放置されているのが現状であった。この回転ブラケット組み立て分解式室内物干し竿セットを使うことで洗濯物を干すときに組み立てて、洗濯物が乾燥したら洗濯物を取り込んで、使い終わったらこの回転ブラケット組み立て分解式室内物干し竿セットを分解してクローゼットの中に収納することも、床に設置してある竿収納バッグの中に入れて、前もって壁に取り付けしてある専用竿立て掛け収納カセット（Ｊ）上下２箇所に嵌め込みし、壁に立て掛けて収納することもできる。特に開口部サッシ横に設置することによりさらに使い勝手が良くなる。以上の様に太陽光の入る部屋の開口部サッシ横や、クローゼットの中並びに取り付け可能な下地のある壁等に竿立て掛け収納カセット（Ｊ）上下２箇所を前もっと取り付けしはめ込みして収納すれば、広い収納スペースを必要としない。竿立て掛け収納カセット（Ｊ）上下から組み立てる竿を外し直ちに組み立てることも、竿等を分解し立て掛け収納することも出来るのでインテリア的にも部屋の見栄えが良く整理整頓片づけられる。サッシ開口部横に設置した短辺方向横竿差し込みブラケットＲＬ（Ａ）は短辺方向横竿ＲＬ（Ｇ−１）（Ｇ−２）を短辺方向横竿差し込みブラケット（Ａ）から抜き取りすれば、壁に固定設置されている左右の短辺方向横竿差し込みブラケットＲＬ（Ａ）はカーテンの陰に隠ぺいされるので目立たないのが最大の特徴であり、プライバシー保護の観点からも洗濯物を干した後カーテンを閉め切ることも出来るので外部から部屋の中を見渡すことは出来なくなる。必要な時に組み立てて洗濯物の乾燥が終わったら分解するので部屋のインテリアがもとの状態に戻る。この回転ブラケット組み立て分解式室内物干し竿セットは短辺方向横竿ＲＬ（Ｇ−１）（Ｇ−２）を長いもの「Ｌ＝３００ｍｍ・Ｌ＝４５０ｍｍ・Ｌ＝６００ｍｍ・Ｌ＝９００ｍｍなど」に部屋の中に入る太陽光の状況や洗濯物の量により交換が可能である。長辺方向横竿（Ｇ−３）並びに長辺方向補助横竿（Ｇ−４）を設置したときは、短辺方向横竿ＲＬ（Ｇ−１）（Ｇ−２）に補助横竿止めフックＲＬ（Ｄ）を設置することとなる。長辺方向横竿（Ｇ−３）並びに長辺方向補助横竿（Ｇ−４）等には中間部洗濯物荷重受け縦竿差し込みブラケット（Ｉ）が左右移動可能に差し込み設置されており重量の重い寝具など布団を干す場合を想定し、中間部洗濯物荷重受け縦竿（ＰＧ−３）並びに補助横竿中間部洗濯物荷重受け縦竿（ＰＧ−４）を各中間部洗濯物荷重受け縦竿差し込みブラケット（Ｉ）に差し込みし、水平垂直に床に設置することにより長辺方向横竿（Ｇ−２）並びに長辺方向中間部補助横竿（Ｇ−４）にかかる洗濯物や布団などの荷重が床に伝わり洗濯物や布団などの寝具等の荷重が軽減され、竿のたわみが緩和される仕組みである。中間部洗濯物荷重受け縦竿（ＰＧ−３）並びに、補助横竿中間部洗濯物荷重受け縦竿（ＰＧ−４）には洗濯物の荷重を床に伝える洗濯物荷重受け締め付け���リング（Ｃ）が設置されており、長辺方向横竿（Ｇ−３）並びに長辺方向補助横竿（Ｇ−４）等横竿を水平に保った状態で洗濯物荷重受け締め付けＷリング（Ｃ）に設置されている締め付けビスを上下２箇所締め付けし、水平の高さに洗濯物の荷重を受けるように設置される。以上の仕組みで洗濯物や布団などの荷重が床に伝わり洗濯物の重みが軽減され、さらに竿の撓みが緩和される仕組みである。各縦竿（Ｐ−１）（Ｐ−２）（ＰＧ−３）（ＰＧ−４）には縦竿滑り防止ゴムフット（Ｆ）設置され、床に設置したときに滑り難くなっている。シーツや布団などのなどの大きな物も大量に部屋干しすることも可能である。
【発明を実施する為の裁量の形態】
【００６】  以下本発明を実施する為に最良の形態について説明する。軸芯となる短辺方向横竿差し込みブラケットＲＬ（Ａ）を主要構造材の在来工法の柱・ツーバイ工法のスタット及びマンションなどの内装下地ＬＧＳに取り付ける場合、開口部のサッシ左右には柱やスタット・ＬＧＳ下地が入っているので後から下地を入れる心配がない。また開口部だけではなくその他の部屋の壁に主要構造材、柱及びスタット、間仕切り壁下地材などが入っている壁スペースがあれば何処にでも取り付けられる。初めに室内側から見て、太陽光が入るサッシ開口部横の主要構造材、在来工法の柱・ツーバイフォー工法のスタット・マンションなどのサッシ開口部左右ＬＧＳスタットに短辺方向横竿差し込みブラケットＲＬ（Ａ）に設置されているビス取り付け穴より、石膏ボード及びクロス貼り等仕上げ材の上からステンレスビスやタッピングビスにて、開口部の左右の壁２箇所ずつ各計８本のビスにて下地へ主要構造材柱及びスタット並びにＬＧＳ下地に短辺方向横竿差し込みブラケットＲＬ（Ａ）を壁に取り付け固定し、短辺方向横竿ＲＬ（Ｇ−１）（Ｇ−２）に接着固定されている差し込みエルボ（Ｘ）を先に取り付け固定した短辺方向横竿差し込みブラケットＲＬ（Ａ）に差し込み一体とし、短辺方向横竿ＲＬ（Ｇ−１）に差し込み設置後、ブラケットＲＬ（Ａ）に抜け防止リング（Ｅ）を設置し、（Ｅ）に一体に設置されているビスを締め付けして、短辺方向横竿ＲＬ（Ｇ−１）（Ｇ−２）及びブラケットＲＬ（Ａ）を一体固定し抜けないようにする。一体となった短辺方向横竿ＲＬ（Ｇ−１）（Ｇ−２）上に４５°回転し反対側の短辺方向横竿ＲＬ（Ｇ−１）（Ｇ−２）に接着固定されている差し込みエルボ（Ａ）に縦竿（Ｐ１）（Ｐ２）を斜めに差し込みながら、斜めの角度で縦竿（Ｐ−１）（Ｐ−２）に設置されている洗濯物荷重受け締め付けＷリング（Ｃ）まで徐々に落とし込みし、短辺方向横竿ＲＬ（Ｇ−１）（Ｇ−２）及び縦竿（Ｐ１）（Ｐ２）を水平垂直に一体として床に設置する。「※洗濯物荷重受け締め付けＷリング（Ｃ）の高さ設定並びに締め付け固定は、回転ブラケット組み立て分解式室内物干し竿セット組み立てる段階で、最初の作業として短辺方向横竿差し込みブラケットＲＬ（Ａ）を開口部左右壁に取り付けする時に使う人が使い易い状態で高さ設定する構造になっている。洗濯物荷重受け締め付けＷリング（Ｃ）は長辺・短辺方向横竿固定縦竿左（Ｐ−１）並びに長辺・短辺方向横竿固定縦竿右（Ｐ−２）及び中間部洗濯物荷重受け縦竿（ＰＧ−３）・補助横竿中間部洗濯物荷重受け縦竿（ＰＧ−４）に最初からビスを緩めた状態で差し込み設置されおり、長辺方向横竿（Ｇ−３）並びに長辺方向補助横竿（Ｇ−４）を水平に保った状態で洗濯物荷重受け締め付けＷリング（Ｃ）に設置されている締め付けビスを上下２箇所締め付けし固定することにより水平垂直に洗濯物の荷重を床に伝達し荷重を緩和させる仕組みになっている。重要なのは回転ブラケット組み立て分解式室内物干し竿セットを使う人が使い易い状態で高さ設定する構造になっている。」また、先に縦竿（Ｐ−１）（Ｐ−２）に短辺方向横竿ＲＬ（Ｇ−１）（Ｇ−２）に設置されている差し込みエルボ（Ｂ）を先に高さ設定設置し��洗濯物荷重受け締め付けＷリング（Ｃ）まで徐々に落とし込みし、水平垂直にＬ型に一体として、短辺方向横竿ＲＬ（Ｇ−１）（Ｇ−２）に設置されている差し込みエルボ（Ｘ）を短辺方向横竿差し込みブラケットＲＬ（Ａ）に差し込みして水平垂直に一体として床に設置することも可能である。この短辺方向横竿差し込みブラケットＲＬ（Ａ）が基準となり、この二通りの方法で差し込みながら順次組み立ててゆく仕組みである。次に長辺方向横竿（Ｇ−２）左右先端に接着固定されている差し込みエルボ（Ｂ）を長辺・短辺方向横竿固定縦竿左（Ｐ−１）並びに長辺・短辺方向横竿固定縦竿右（Ｐ−２）にすでに落とし込みした短辺方向横竿ＲＬ（Ｇ−１）（Ｇ−２）まで全体を水平に差し込みして、四辺を一体に固定し水平垂直及び直角に安定させる。短辺方向横竿ＲＬ（Ｇ−１）（Ｇ−２）は長いものや短いもの「Ｌ＝３００ｍｍ・Ｌ＝４５０ｍｍ・Ｌ＝６００ｍｍ・Ｌ＝９００ｍｍなど」に部屋の中に入る太陽光の状況や洗濯物の量により短辺方向横竿ＲＬ（Ｇ−１）（Ｇ−２）の交換が可能である。また洗濯物の量の多い場合や布団シーツなど重量の重いものを干す場合などを想定し、長辺方向横竿（Ｇ−３）並びに長辺方向補助横竿（Ｇ−４）等には中間部洗濯物荷重受け縦竿差し込みブラケット（Ｉ）が左右移動可能に差し込み設置されており重量の重い寝具など布団を干す場合、中間部洗濯物荷重受け縦竿（ＰＧ−３）並びに、補助横竿中間部洗濯物荷重受け縦竿（ＰＧ−４）を各中間部洗濯物荷重受け縦竿差し込みブラケット（Ｉ）に差し込みし、水平垂直に床に設置することにより長辺方向横竿（Ｇ−２）並びに長辺方向中間部補助横竿（Ｇ−４）にかかる洗濯物や布団などの荷重が床に伝わり洗濯物や布団などの寝具等の荷重が軽減され、竿のたわみが緩和される仕組みである。中間部洗濯物荷重受け縦竿（ＰＧ−３）並びに、補助横竿中間部洗濯物荷重受け縦竿（ＰＧ−４）には洗濯物の荷重を床に伝える洗濯物荷重受け締め付けＷリング（Ｃ）が設置されており、長辺方向横竿（Ｇ−３）並びに長辺方向補助横竿（Ｇ−４）等横竿を水平に保った状態で洗濯物荷重受け締め付けＷリング（Ｃ）に設置されている締め付けビスを上下２箇所締め付けし、水平に洗濯物の荷重を受けるように設置される。各縦竿（Ｐ−１）（Ｐ−２）（Ｐ−３）（Ｐ−４）には縦竿滑り防止ゴムフット（Ｆ）が設置され、床に設置したときに滑り難くなっている。本発明は以上の構造である。
【図面の簡単な説明】
【０００７】
【図１】  組み立て状況図
【図２】  分解・収納状況図
【図３】  組み立て詳細図
【図４】  組み立て時平面図・左右正面図
【図５】  竿立て掛け収納カセット全体図
【図６】  短辺方向７横竿差し込みブラケット  平面図  正面図  右側面図  左側面図  背面図  底面図
【図７】  組み立て時全体側面図
【符号の説明】
【０００８】（Ｘ）        横竿差し込みエルボ
（Ａ）        短辺方向横竿差し込みブラケットＲＬ
（Ｂ）        短辺方向差し込みエルボＲＬ
（Ｃ）        洗濯物荷重受け締め付けＷリング
（Ｄ）        補助横竿止めフックＲＬ
（Ｅ）        短辺方向横竿ＲＬ外れ防止締め付けリング
（Ｆ）        縦竿滑り防止ゴムフット
（Ｈ）        縦竿立て掛け収納リング
（Ｉ）        中間部洗濯物荷重受け縦竿差し込みブラケット
（Ｊ）        竿立て掛け収納カセット上下
（Ｋ）        短辺方向横竿衝撃吸収ゴム
（Ｇ−１）    短辺方向横竿Ｌ
（Ｇ−２）    短辺方向横竿Ｒ
（Ｇ−３）    長辺方向横竿
（Ｇ−４）    長辺方向中間部補助横竿
（Ｐ−１）    長辺・短辺方向横竿固定縦竿左
（Ｐ−２）    長辺・短辺方向横竿固定縦竿右
（ＰＧ−３）  中間部洗濯物荷重受け縦竿
（ＰＧ−４）  補助横竿中間部洗濯物荷重受け縦竿
【図１】
2020108722.tif 000003
【図２】
2020108722.tif 000004
【図３】
2020108722.tif 000005
【図４】
2020108722.tif 000006
【図５】
2020108722.tif 000007
【図６】
2020108722.tif 000008
【図７】
2020108722.tif 000009